(57)【要約】【課題】高い陰影のコントラストの度合いを得るが、最低限の電力しか消費せず、その結果電池の使用寿命を伸ばし、そのため使いやすく信頼性の高い長寿命のシステムによりメンテナンスを最小化する、最適な結果を有する女性の妊娠可能期間を認識するために使用される装置を得ること。【解決手段】本考案による装置は、本体１及びカバー２から形成されることを特徴とし、本体１はカバー２上に円筒部分と広い受け部３を有し、本体１は中空で各端部は開いており、その下部先端にある種のピストン４を有し、前記ピストン４はその中空部分に圧力により結合可能であり、ここには発光素子５が含まれ、一方でこの上端部は圧力により結合された一対の調節可能な同軸のキャップ１２，１５を受け、一つのキャップ１２は透明な円板１３を保持し、他方のキャップ１５はサンプル観察レンズ１７を保持することを特徴とする。【選択図】図２
0003120493.tif 000002
【実用新案登録請求の範囲】
【請求項１】
女性の妊娠可能期間を認識するために使用される装置であって、レンズに対向する照明を受けた焦点が作動する時にレンズを通じて見ることができる透明な支持上に置かれた、女性の唾液又は膣分泌液サンプルを用いる種類のものであり、本体及びカバーから形成されることを特徴とし、前記本体は円筒形の部分を有し、前記本体はカバー上に円筒部分と広い受け部を有し、かつ前記本体はカバーと一続きとなった幅広の端部を有し、前記本体は中空で各端部は開いており、その下部先端にある種のピストンを有し、前記ピストンはその中空部分に圧力により結合可能であり、ここには発光素子が含まれ、一方でこの上端部は圧力により結合された一対の調節可能な同軸のキャップを受け、一つのキャップは透明な円板を保持し、他方のキャップはサンプル観察レンズを保持することを特徴とする装置。
【請求項２】
前記ピストンが前記本体の二つの部分の間の内部層内の浸透リミッタとして作用するねじれ形の又は層になったストレッチングを端部に有し、かつ各ピストンがＬＥＤダイオードがその中を通って現れる中央の穴を内部に有して前記ＬＥＤダイオード用の電池を収納し、その外端部が小さな電気抵抗により前記ＬＥＤダイオードの電源を遮断するために使用される金属皮膜を駆動する押しボタンにより補強されていることを特徴とする、請求項１に記載の装置。
【請求項３】
前記ピストンが生成機能のうちの一つに従った切り込みを含み、前記本体の中空の中心上に結合されて圧力により固定されるために、また観察像を著しく向上させ電池の寿命を伸ばす電気抵抗を取り付けるために必要な弾力的な変形を可能にすることを特徴とする、請求項１又は２に記載の装置。
【請求項４】
第一のキャップ又は封入キャップが前記本体の内側の開口部と圧力により結合するために使用される内側の隆起を含み、透明な円板内に配置されたキャップに従って、その外端部上で設定及び／又は移動のために直接触ることができる歯車付き又は刻み付きホイールを含み、その外側に溝がある第二のキャップを受けるために対応した溝を有し、その遊離端部にはサンプル観察レンズが置かれる、外側に開き内側にまとまる円錐軸を有する歯車付き又は刻み付きホイールにより補強されていることを特徴とする、請求項１乃至３のいずれかに記載の装置。
【考案の詳細な説明】
【技術分野】
【０００１】
本考案は、女性の膣分泌液の観察及び膣分泌液の結晶化後の観察に基づいて、女性の妊娠可能期間を迅速かつ効率的に判定するために特別に着想された装置に関する。
【背景技術】
【０００２】
従来、女性の妊娠可能期間を検出するために、血液又は尿の分析のような、一連の臨床分析が使用されており、これは相当な時間の損失を前提とすると共に、女性にとって不快である。一連の臨床分析は、医師又は専門家がその結果を分析及び解釈するために必要とされる時間をも含み、女性が自分の妊孕性又は排卵周期を知りたいと望む度に女性にとって非常に難解な時間が存在することを基本的に前提とする。
【０００３】
この難解さのため、多くの不必要な場において様々な避妊法の使用が実行されることとなっており、いずれの場合においても女性の健康にとって多少危険である。
【０００４】
また、乾燥した唾液の粘弾性と、唾液のサンプルが含まれる二つの結晶の牽引力に基づいて、女性の排卵期を判定するために確立された牽引力と前記牽引力を比較する装置が知られている。
【０００５】
サンプルとして女性の尿を使用する装置もまた知られている。
【０００６】
上記各装置は大きいサイズのため容易に手で運べない電子装置を使用しているため、その複雑さにより不便である。消費する電力及び頻繁な部品交換の必要の両方から上記各装置のメンテナンス費用は高く、複雑な分析結果の解釈に要する時間については言うまでもない。
【０００７】
本考案の出願人は、スペイン特許出願番号P 009700825を有する発明の所有者である。前記出願は女性の妊娠可能期間を認識するための手順及び装置について記述し、上述の問題を解決し、発光する小さな顕微鏡に通じて観察可能な一旦乾燥して結晶化した唾液又は膣分泌液の使用に基づくものである。
【０００８】
上記発明の装置は、具体的には結晶プレート上に置かれた液体を観察するために位置調整要素付きの光学レンズを使用し、前記プレートは押しボタン及び電池により作動する小さな電球を使用して照らされている。これにより、ユーザは前記電球を発光させることによって結晶化したサンプルをレンズを通じて観察することが可能となり、予め設定した形状に従って、当該時点において女性が妊娠可能であるか否かを検出することができる。
【０００９】
上記プレートは、床に落として壊してしまう危険があり、その場合に女性が壊れたガラスにより怪我をして装置が使用されなくなり得るため、不快であり女性が取り扱うには危険となり得るものである。
【００１０】
上記発明の装置に見受けられる他の問題は、上記電球の消費電力が電池を頻繁に交換することを必要とし、特に、通常装置を小さくすると充電率の低い「ボタン」型電池を使用することになるからである。
【００１１】
第三の問題は照明であり、これは電力が電池から電球へ直接来るため、ほとんどコントラストがない強い光を生成し、このような強い直接の光が目に当たることは厄介である。この手段では正しく観察像を得ることが難しい上に、コントラストがなければ、排卵期であるか否かの間の違いを見分けることは容易でないのも事実である。
【００１２】
最初の装置の製造時に見受けられる他の問題は、不快であることを別として、スイッチシステムに信頼性がないことである。スイッチシステムは故障率が高いため、この不変の問題により装置が非常に破損しやすくなる。
【考案の開示】
【考案が解決しようとする課題】
【００１３】
本考案の目的は、高い陰影のコントラストの度合いを得るが、最低限の電力しか消費せず、その結果電池の使用寿命を伸ばし、そのため使いやすく信頼性の高い長寿命のシステムによりメンテナンスを最小化する、最適な結果を有する装置を得ることである。
【課題を解決するための手段】
【００１４】
本考案による女性の妊娠可能期間を認識するために使用される装置は、レンズに対向する照明を受けた焦点が作動する時にレンズを通じて見ることができる透明な支持上に置かれた、女性の唾液又は膣分泌液サンプルを用いる種類のものであり、本体及びカバーから形成されることを特徴とし、前記本体は円筒形の部分を有し、前記本体はカバー上に円筒部分と広い受け部を有し、かつ前記本体はカバーと一続きとなった幅広の端部を有し、前記本体は中空で各端部は開いており、その下部先端にある種のピストンを有し、前記ピストンはその中空部分に圧力により結合可能であり、ここには発光素子が含まれ、一方でこの上端部は圧力により結合された一対の調節可能な同軸のキャップを受け、一つのキャップは透明な円板を保持し、他方のキャップはサンプル観察レンズを保持することを特徴とすることにより、上記課題を解決する。
【００１５】
前記装置は、前記ピストンが前記本体の二つの部分の間の内部層内の浸透リミッタとして作用するねじれ形の又は層になったストレッチングを端部に有し、かつ各ピストンがＬＥＤダイオードがその中を通って現れる中央の穴を内部に有して前記ＬＥＤダイオード用の電池を収納し、その外端部が小さな電気抵抗により前記ＬＥＤダイオードの電源を遮断するために使用される金属皮膜を駆動する押しボタンにより補強されていることを特徴としてもよい。
【００１６】
前記装置は、前記ピストンが生成機能のうちの一つに従った切り込みを含み、前記本体の中空の中心上に結合されて圧力により固定されるために、また観察像を著しく向上させ電池の寿命を伸ばす電気抵抗を取り付けるために必要な弾力的な変形を可能にすることを特徴としてもよい。
【００１７】
前記装置は、第一のキャップ又は封入キャップが前記本体の内側の開口部と圧力により結合するために使用される内側の隆起を含み、透明な円板内に配置されたキャップに従って、その外端部上で設定及び／又は移動のために直接触ることができる歯車付き又は刻み付きホイールを含み、その外側に溝がある第二のキャップを受けるために対応した溝を有し、その遊離端部にはサンプル観察レンズが置かれる、外側に開き内側にまとまる円錐軸を有する歯車付き又は刻み付きホイールにより補強されていることを特徴としてもよい。
【００１８】
本考案により提案される装置は、スペイン特許出願番号P 009700825の発明と同じ機能原理に基づき、上述の問題を申し分なくかつ十分に解決すると共に、後述する通りその特別な構造上の特徴により装置の扱いをかなり容易にする。
【００１９】
この目的のため、そしてより具体的には、本考案の装置は本体及びカバーの組み合わせにより構成されており、両方合わせるとリップスティックに似ているため、女性のハンドバッグに入れて容易に持ち運ばれ得る。本考案の装置は端部において開放された本体を有し、最も幅の広い端部においては、ある種のピストンが圧力により結合されており、前記ピストンからＬＥＤダイオードが軸として内側に現れ、一つ又は種々の電池を収納する。他方の端部において、本考案の装置は手動により底部ベースから押された時に前記ＬＥＤダイオードへの電力を遮断するための押しボタンを有し、前記押しボタンは装置の本体を通じて直接触ることができる。
【００２０】
上記押しボタンは金属皮膜スイッチを駆動し、これらのスイッチは小さい故障率とその耐久性から効果的であることが証明されており、そのため事実上永続性があり、非常に多くの回数を押さないと故障せず、システムは非常に信頼性があって長期に持続するものとなっている。
【００２１】
本体の他方の端部に、やはり本体に圧力により結合されたキャップがあり、内部には透明な円板が見受けられる。前記キャップの外端部は刻み付きホイールを構成し、内側の第二のキャップと結合するために内側に溝がある。第二のキャップの内側にはこれに対応した溝があり、さらに刻み付きホイール内においてで円錐内部及びレンズの内側が被さる。これにより、底部円板に置かれたサンプルのより良い焦点のために、両キャップの間の相対的な回転が円板とレンズの間のやはり相対的な移動を作り出す。
【考案の効果】
【００２２】
このように、本考案の装置の使用には本体の対応する口の一対のキャップを外し、唾液又は分泌液サンプルを透明な円板上に付け、結晶化後に、底部の押しボタンを押してＬＥＤを点灯してサンプルを観察すると同時に、観察した像が排卵又は非排卵の状況と一致するかを確認するだけで良い。
【００２３】
このように、本考案によれば結晶プレートがプラスチックキャップの一つの中にはめ込まれ、分泌液又は唾液サンプルが置かれた部分のみを解放し、壊したりその結果ユーザが怪我をすることが事実上不可能であるため、上記結晶プレートの危険性に加えて他のシステムの不便さを解決することができる。
【考案を実施するための最良の形態】
【００２４】
本明細書の説明を補足し本考案の特徴をより良く理解するため、好適な例及びその実際の実施に従った、本明細書の説明の不可欠な部分として、図１乃至図３を含むがこれらに限られない図面のセットが存在する。
【００２５】
上記の図は、本考案が提案する装置が本体１とカバー２の組み合わせにより構成される方法を示し、本体１は基本的に円筒形であるが、その遊離端部に角柱状のストレッチング３を備え、カバー２のような構成をなし、そのため両方の部材が結合する時、本体のストレッチング３とカバー２が顕著な形状の連続性をもたらす。
【００２６】
本体１は両端部で開いており、そのより幅が広い端部であるストレッチング３において圧力を使用してある種のピストン４を受け取り、ＬＥＤダイオード５がその中を通って現れる内部ベース上の中心に穴のある空間は電池６を収納し、その下端部を通じて接触可能であって金属皮膜スイッチに作用する押しボタン７を有し、押しボタン７が押されると金属皮膜スイッチは電力回路ＬＥＤダイオード５を閉じる。
【００２７】
周辺層９は本体１とストレッチング３の間に設けられた層上のカバーの働きをし、上記のピストン４の側部の切り込み８により本体１の中空部での圧力による結合及びその完全な固定のために必要な弾性形状が実現される。切り込み８はある値を設定した小さな電気抵抗を取り付けるためにも使用され、これは使用電池の個数と使用ＬＥＤダイオードの種類に従い設定される。観察像の質を向上するためにコントラストをより強めて研究をした結果、この電気抵抗を取り付けた後には、コントラストが著しく向上し、観察像がよりはっきりと見やすいものとなることが証明され、この電気抵抗の値は上記の要素に基づき設定されていた。電気抵抗を取り外して光を強めた後には、光の強度により観察像のコントラストが弱まり、観察像の質も低下し、見づらくなることが証明された。このことは、電池とＬＥＤダイオードの間に電気抵抗を挿入することが、電圧の強度を削減し、エネルギーを節約し、電池の寿命をかなり伸ばし、装置を使いやすくすることを明白に証明した。
【００２８】
本体１の他方の端部１０上にはキャップ１２もまた圧力により結合されており、キャップ上には隆起１１があり、その底部又は内部ベースはサンプルを置くための泡のない膣分泌液又は唾液のいずれかを扱う透明な円板１３に連結されている。一方、前記キャップ１２は後に示す通りに、サンプル観察レンズが手動で調整される間、配置状態において一緒に動くように歯車付き又は刻み付きホイール１４により他方の端部にしっかりと固定されている。
【００２９】
キャップ１２はその中空部において第二のキャップ１５を受け取るために内側に溝があり、第二のキャップ１５の外側は円筒形で対応した溝があり、レンズ１７を保持する内側の最も狭い端部上に円錐形の穴１６を有する（専門会社の実施した光学的調査により、最適なレンズ倍率の最適数がいくつになるかの調査でこの円錐形の穴が観察像を向上することが明らかとなった。）。一方、移動に使われる他方の端部上にもう一つの歯車付き又は刻み付きホイール１８が存在し、具体的にはＬＥＤダイオード５の発光時にサンプルの完全な焦点を得るために、他のキャップに関してキャップの相対的な回転の取り扱いを容易にし、両方のキャップに関連してその回転が透明な円板１３上のサンプルへのレンズ１７のより高い又はより低い接近の度合を作り出す平行軸移動を生じさせる。
【００３０】
この溝の仕組みは従来の仕組みよりもかなり摩擦が少なく、より良い溝を得ることができる結果、焦点システムの正確性を増加させ、サンプルの観察像をよりはっきりとさせることができる。
【００３１】
これらの顕著な変更を行った後、出願人は、同じ出願人が所有するスペイン特許出願番号P 009700825の発明と同じ機能原理に従った装置を得た。本考案の装置は上述した危険を回避し、より単純で使いやすく、さらに信頼性と耐久性が高く観察像がはっきりと鮮明で、より分離したデザインを有し、ライター又はタバコの小箱のような外観に慣れた潜在的使用者である女性の好みに従い今度はリップスティックにより近い外観の装置である。
【図面の簡単な説明】
【００３２】
【図１】本考案の目的に沿って作られた女性の妊娠可能期間の認識のために使用される装置の、閉じられた又は操作することができない状態の斜視図である。
【図２】図１に示す装置の斜視図に従った分解組立図である。
【図３】図１に示す組立部分毎の正面図及び長手方向の図である。
【符号の説明】
【００３３】
１  本体
２  カバー
３  ストレッチング
４  ピストン
５  ＬＥＤダイオード
６  電池
７  押しボタン
８  切り込み
９  周辺層
１０  端部
１１  隆起
１２，１５  キャップ
１３  円板
１４，１８  ホイール
１６  穴
１７  レンズ
【図１】
0003120493.tif 000003
【図２】
0003120493.tif 000004
【図３】
0003120493.tif 000005